(57)【特許請求の範囲】
【請求項１】
金額データが記録されたカードを用いて遊技台に供給する玉の金額換算を行う玉貸し機において、
前記カードに記録された前記金額データを読み取るカード読み取り手段と、
前記カード読み取り手段が読み取った前記金額データを判別し、前記カードの収納指示を行う収納制御手段と、
前記収納指示を受けた前記カードを斜めに積み重ねて収納するカード収納部と、
を有し、
前記カード収納部は、
収納された前記カードがカード取出し口から飛び出すことを防止する飛び出し防止手段と、
引き出されることによって収納した前記カードを外部に運搬する引き出し構造部と、
を有し、
前記飛び出し防止手段は、前記引き出し構造部が前記カード収納部の内部に収納されている際に前記カード取出し口をふさぎ、前記引き出し構造部が引き出される際に自動的に前記カード取出し口を開くことを特徴とする玉貸し機。
【請求項２】
前記カード収納部は、底面に対して斜めに傾けられて配置される傾斜板と、前記底面に対して垂直に配置され、前記傾斜板との組み合わせでＶ字型を形成する垂直板と、前記底面、前記傾斜板及び前記垂直板とそれぞれ垂直な位置に配置される側面板とを有することを特徴とする請求項１記載の玉貸し機。
【発明の詳細な説明】
【０００１】
【発明の属する技術分野】
本発明は金額データが記録されたカードを用いて遊技台に供給する玉の金額換算を行う玉貸し機に関し、特に使用後のカードの回収を行う玉貸し機に関する。
【０００２】
【従来の技術】
近年、遊技用の玉を購入し、購入した玉を遊技台に供給する玉貸し機において、玉の購入代金を金額データとして記録したカードを用い、購入する玉の金額換算を行う玉貸し機が提案されている。このような玉貸し機を用いる場合、まず、利用者は、遊技を行う金額に応じたカードを購入する。この際、購入したカードには、購入した金額に相当する金額データが記録されることとなる。例えば、利用者が１００００円分の遊技を行おうとする場合、利用者は１００００円に相当するカードを購入することとなり、この場合、購入したカードには１００００円分に相当する金額データが記録されることとなる。
【０００３】
カードを購入した利用者は、購入したカードを玉貸し機に挿入し、必要な分だけ玉を購入する。この購入に際し、購入した玉の代金はカードに記録された金額データから減算されることとなり、このカードによる玉の購入は、カードに記録された金額が玉の購入代金及び手数料を下回るまで行うことができる。そして、このように玉が購入され、金額データで示される残高が一定値を下回ったカードは、玉貸し機より排出され、利用者に返却されることとなる。
【０００４】
しかし、このように使用済みのカードを利用者に返却する玉貸し機においては、実質、使用済みのカードはすべて廃棄されることとなり、資源の有効利用、及びランニングコストの削減の面において望ましくない。そこで、このような問題を解決する手段として、使用済みのカードを玉貸し機の中に一旦収納し、それらを回収して再利用することができる玉貸し機の提案が行われている。
【０００５】
【発明が解決しようとする課題】
しかし、遊技スペースの有効利用が進められる中、玉貸し機が配置される占有幅も制限され、玉貸し機の幅をカードの幅より狭くしなければならない場合も生じている。このようにカードの幅よりも幅が狭い玉貸し機の場合、従来の方法では、使用済みのカードを玉貸し機の中に収納することが出来ず、使用済みのカードの回収を行うことができないという問題点がある。
【０００６】
本発明はこのような点に鑑みてなされたものであり、カードの幅よりも幅が狭い玉貸し機において、使用済みのカードを収納することが可能な玉貸し機を提供することを目的とする。
【０００８】
【課題を解決するための手段】
本発明では上記課題を解決するために、金額データが記録されたカードを用いて遊技台に供給する玉の金額換算を行う玉貸し機において、前記カードに記録された前記金額データを読み取るカード読み取り手段と、前記カード読み取り手段が読み取った前記金額データを判別し、前記カードの収納指示を行う収納制御手段と、前記収納指示を受けた前記カードを斜めに積み重ねて収納するカード収納部と、を有し、前記カード収納部は、収納された前記カードがカード取出し口から飛び出すことを防止する飛び出し防止手段と、引き出されることによって収納した前記カードを外部に運搬する引き出し構造部と、を有し、前記飛び出し防止手段は、前記引き出し構造部が前記カード収納部の内部に収納されている際に前記カード取出し口をふさぎ、前記引き出し構造部が引き出される際に自動的に前記カード取出し口を開くことを特徴とする玉貸し機が提供される。
【０００９】
ここで、カード読み取り手段は、カードに記録された金額データを読み取り、収納制御手段は、カード読み取り手段が読み取った金額データを判別し、これにより一定の判別結果が出た場合にカードの収納指示を行い、カード収納部は、収納指示を受けたカードを斜めに積み重ねて収納する。
【００１１】
このようにすることにより、カードの幅よりも幅の狭い玉貸し機であっても、使用済みのカードを収納することが可能となる。
【００１２】
【発明の実施の形態】
以下、本発明の実施の形態を図面を参照して説明する。
図１は本形態における玉貸し機１の構成を示した断面構造図であり、図２は玉貸し機１の正面図を示している。ここで、図２の（ａ）は前面パネル３ａが閉じた状態を、図２の（ｂ）は前面パネル３ａが開いた状態をそれぞれ示している。
【００１３】
玉貸し機１は、カード１０に記録された金額データの読み取り等を行うカード読み取り手段であるカードリーダライタ２、カードリーダライタ２が読み取った金額データを判別し、カード１０の収納指示を行う収納制御手段である制御装置４、制御装置４から収納指示を受けたカード１０を収納するカード収納部３、及び制御装置４から指示をうけ、遊技台への玉供給指示を与える玉供給制御手段５とによって構成されている。
【００１４】
カードリーダライタ２はカード挿入口２ａを有し、このカード挿入口２ａからカード１０が挿入される。
カード収納部３は、カード収納部３の外部に配置される開閉可能な扉である前面パネル３ａ、収納されたカード１０がカード取出し口から飛び出すことを防止する飛び出し防止手段であるストッパー３ｂ、引き出されることによって収納したカード１０を外部に運搬する引き出し構造部３ｃ、前面パネル３ａを施錠するパネルキー３ｄ、カード収納部３にカード１０が収納されているか否か判断するための検出光を発光する有無センサ発光部３ｅ、有無センサ発光部３ｅが発光した検出光を検出する有無センサ受光部３ｆ、収納されたカード１０の収納数が上限に達しているか否か判断するための検出光を発光する上限センサ発光部３ｇ、及び上限センサ発光部３ｇが発光した検出光を検出する上限センサ受光部３ｈによって構成されている。
【００１５】
制御装置４は、プロセッサを中心とした構成となっており、図示されていないＲＯＭに格納されたプログラムに従って動作する。
また、カード１０としては磁気カード或いはＩＣカード等を用い、金額データの記録は、これらのカードに磁界或いは電界が与えられることによって行われる。
【００１６】
図３は、本形態における玉貸し機１の電気的な構成を示した構成図である。
上述したように、玉貸し機１は、制御装置４、カードリーダライタ２、パネルキー３ｄ、玉供給制御装置５、有無センサ発光部３ｅ、有無センサ受光部３ｆ、上限センサ発光部３ｇ及び上限センサ受光部３ｈを有している。制御装置４は、パネルキー３ｄ、カードリーダライタ２、玉供給制御装置５、有無センサ発光部３ｅ、有無センサ受光部３ｆ、上限センサ発光部３ｇ及び上限センサ受光部３ｈとそれぞれ電気的に接続されており、玉供給制御装置５は、遊技台と電気的に接続されている。また、制御装置４には、玉貸し機１のパネルキー３ｄの開閉を遠隔操作する解錠装置２０が電気的に接続されている。
【００１７】
図４は、解錠装置２０と玉貸し機１との電気的接続を示した構造図である。
解錠装置２０には、複数の玉貸し機１の制御装置４が電気的に接続され、各制御装置４は各玉貸し機１のパネルキー３ｄと電気的に接続されている。なお、図４では、説明の簡略化のため、制御装置４及びパネルキー３ｄ以外の構成は省略した。
【００１８】
次に、図１及び図２を用いて、玉貸し機１の動作について説明する。
利用者が玉貸し機１を用いて遊技用の玉を購入する場合、まず、利用者は、店内に別途設置されたカード販売機等によってカード１０を購入する。ここで購入したカードには、玉を購入する代金が金額データとして記録されている。
【００１９】
カード１０を購入した利用者は、購入したカード１０を玉貸し機１のカード挿入口２ａから挿入し、挿入されたカード１０はカードリーダライタ２に取り込まれる。カード１０を取り込んだカードリーダライタ２は、取り込んだカード１０に記録された金額データを読み込み、その結果を制御装置４に伝える。
【００２０】
金額データを受け取った制御装置４は、別途、利用者によって入力指示された玉の購入数等を考慮し、購入した玉の代金及び手数料等を金額データから減算し、玉供給制御装置５に購入した玉の供給指示を与える。玉の供給指示を受け取った玉供給制御装置５は遊技台へ玉の供給指示を与え、この指示を受け取った遊技台は玉の出力を行う。なお、本形態では、玉の出力自体は遊技台が行うこととしているが、玉貸し機１に玉を出力する機構を設け、玉貸し機から玉を出力する構成としてもよい。
【００２１】
一方、玉の購入代金等を減算された金額データは、カードリーダライタ２に送られ、そこでカード１０に記録されることとなるが、ここで、減算された金額データに相当する金額が１回の玉貸しに必要な金額以下になっている場合、制御装置４は、カード１０に記録されている残高分の玉を出力する指示を玉供給制御装置５に与え、残高分の玉を出力させる。同時に、カード１０の金額データに示される金額を０にし、カード１０をカード収納部３に収納する指示をカードリーダライタ２に与える。
【００２２】
この指示を受け取ったカードリーダライタ２は、カード１０の金額データに示される金額を０にするとともに、そのカード１０をカード収納部３に収納する。カード１０の収納は、カード１０を図１に示すＢ方向に落下させることによって行われ、落下したカード１０はカード収納部３の引き出し構造部３ｃに収納される。図５は、引き出し構造部３ｃに収納されるカード１０の様子を示した図１のＣ−Ｃ断面図である。図５に示すように、引き出し構造部３ｃはＶ字型の断面形状を有し、そのＶ字型の断面形状の１辺が底面に対して垂直に、別の一辺が底面に対して斜めになるように配置される。ここで、この底面に対して斜め配置されるＶ字型の断面の１辺は全体としては平面を構成することとなるため、全体としては、引き出し構造部３ｃが有する１平面が底面に対して斜めに配置されていることとなる。Ｂ方向に落下したカード１０は、この斜めに配置されている引き出し構造部３ｃの１平面（斜面板３ｃｄ）に沿って倒れこみ、この斜面板上に積み重なって配置されることとなる。これにより、カード１０は引き出し構造部３ｃの底面に対して斜めに積み重ねられて収納されることとなる。
【００２３】
図６は、このようにカード１０が収納された引き出し構造部３ｃを示した斜視図である。この図に示すように、カード１０は、斜面板３ｃｄ上に重ねられ、その１側面を垂直板３ｃｃによって保持され、また別の１側面を側面板３ｃｅによって保持されて収納される。ここで、収納されるカード１０は、斜面板３ｃｄ、垂直板３ｃｃ及び側面板３ｃｅの３平面によってのみ保持されており、側面板３ｃｅと向かい合うカード取出し口３ｃａ側の面からは保持されていない。そこで、このカード取出し口３ｃａ側の面からカード１０を保持し、カード取出し口３ｃａからのカード１０飛び出しを防止する手段として、ストッパー３ｂが配置される。
【００２４】
図１及び図２の（ｂ）に示すように、ストッパー３ｂは板形状を有しており、その板形状の平面部によって、引き出し構造部３ｃに収納されたカード１０の側面をカード取出し口３ｃａ側から保持する。ストッパー３ｂは、その１辺がカード収納部３の側面に取りつけられ、その取付け部を軸とした回転運動を可能としている。この回転運動によって、ストッパー３ｂは、その平面部が引き出し構造部３ｃのカード取出し口３ｃａ側の側面と平行に配置される位置から、垂直に配置される位置まで回転移動することが可能となっている。また、ストッパー３ｂは、バネ等の弾性体の弾性力によって、その平面部がカード取出し口３ｃａ側の側面と平行に配置されるように加圧されている。これにより、引き出し構造部３ｃがカード収納部３に収納された状態においては、常時、ストッパー３ｂが、引き出し構造部３ｃに収納されたカード１０の側面をカード取出し口３ｃａ側から保持することとなる。
【００２５】
次に、引き出し構造部３ｃの引き出し動作について説明する。図７に図１のＤ‐Ｄ断面図を示す。ここで、図７の（ａ）は、引き出し構造部３ｃがカード収納部３に収納されている状態を示し、図７の（ｂ）は、引き出し構造部３ｃがカード収納部３から引き出されている状態を示している。
【００２６】
引き出し構造部３ｃの引き出しを行う場合、まず、カード収納部３の外部に取付けられた前面パネル３ａの開扉が行われる。前面パネル３ａは板形状を有しており、その板形状の一端を軸とした回転運動を行うことによって、扉の開閉動作を行う。また、前面パネル３ａはパネルキー３ｄによって施錠されており、パネルキー３ｄは、パネルキー３ｄに鍵を挿入することにより、或いは後述する遠隔操作を行うことによって解錠することができる。パネルキー３ｄが解錠され、前面パネル３ａが図７の（ａ）に示したＥ方向に開扉されると、次に、引き出し構造部３ｃの引き出し動作に移る。
【００２７】
引き出し構造部３ｃのカード収納部３外部への引き出しは、カード収納部３の内部から、前面パネル３ａに向かう方向（Ｇ方向）に行われる。引き出し構造部３ｃにＧ方向の力が加えられた場合、引き出し構造部３ｃは、そのカード取出し口３ｃａ側の側面によって、ストッパー３ｂを内側から外側に向けて加圧する。引き出し構造部３ｃによって加圧されたストッパー３ｂは、上述した回転軸を中心とした回転運動（Ｆ方向）を行い、その平面部がカード取出し口３ｃａ側の側面と垂直になる位置へ回転移動する。これにより、カード取出し口３ｃａ側を保持していたストッパー３ｂがカード収納部３の側面にしまい込まれ、その後更に引き出し構造部３ｃにＧ方向の力が加えられることにより、引き出し構造部３ｃのカード取出し口３ｃａが、カード収納部３の外部に引き出されることとなる（図７（ｂ））。図８及び図９は、カード取出し口３ｃａがカード収納部３の外部に引き出される過程を示したカード収納部３の詳細斜視図である。ここで、図８は、ストッパー３ｂが引き出し構造部３ｃに収納されたカード１０の側面をカード取出し口３ｃａ側から保持し、前面パネル３ａが開扉された状態を示し、図９は、カード取出し口３ｃａがカード収納部３の外部に引き出された状態を示している。
【００２８】
次に、カード１０が収納されているか否か判断する有無センサ発光部３ｅ、有無センサ受光部３ｆ、及びカード１０の収納数が上限に達しているか否か判断する上限センサ発光部３ｇ、上限センサ受光部３ｈの動作について説明する。図１０及び図１１は、有無センサ発光部３ｅ、有無センサ受光部３ｆ、上限センサ発光部３ｇ、及び上限センサ受光部３ｈの動作を示した図である。
【００２９】
図１０及び図１１に示すように、有無センサ発光部３ｅはカード収納部３の底面内側に、有無センサ受光部３ｆ及び上限センサ受光部３ｈはカード収納部３の側面内側に、上限センサ発光部３ｇはカード収納部３の上面内側にそれぞれ配置される。これにより、有無センサ発光部３ｅ及び上限センサ発光部３ｇからは、収納されるカードの積み重ね方向を斜めに横切る方向に検出光が出力されることとなる。
【００３０】
これらのセンサは、制御装置４によって制御され、制御装置４がカードリーダライタ２に対してカード１０を収納する指示を行う場合、及び後述する遠隔操作によってパネルキー３ｄへ解錠指示が与えられた場合に一定期間動作し、有無センサ発光部３ｅから出力された検出光は有無センサ受光部３ｆで、上限センサ発光部３ｇから出力された検出光は上限センサ受光部３ｈでそれぞれ検出される。
【００３１】
まず、図１０を用いて、カード１０が収納されているか否かを判断する判断方法について説明する。
図１０の（ａ）に示すように、引き出し構造部３ｃにカード１０が収納されていない場合、有無センサ発光部３ｅから出力された検出光は、引き出し構造部３ｃの検出光通過部３ｃｂを通過し、有無センサ受光部３ｆに達する。そして、有無センサ受光部３ｆに達した検出光は、有無センサ受光部３ｆによって検出されることとなる。一方、図１０の（ｂ）に示すように、引き出し構造部３ｃにカード１０が収納された場合、有無センサ発光部３ｅから出力された検出光は、引き出し構造部３ｃに収納されたカード１０によって遮断され、この検出光が有無センサ受光部３ｆに達することはない。この場合、有無センサ受光部３ｆによる検出光の検出は行われない。
【００３２】
以上のように、引き出し構造部３ｃにカード１０が収納されていない場合、有無センサ受光部３ｆは検出光を検出し、カード１０が収納されている場合、有無センサ受光部３ｆは検出光を検出しないこととなるため、有無センサ受光部３ｆが検出光を検出するか否かを判断することによって、カード１０が引き出し構造部３ｃにカード１０が収納されているか否かを判断することが可能となる。
【００３３】
次に、図１１を用いて、カード１０の収納数が上限に達しているか否かを判断する判断方法について説明する。
図１１の（ａ）は、収納されたカード１０が収納数の上限に達していない場合を示している。この場合、上限センサ発光部３ｇから出力された検出光は、上限センサ受光部３ｈに達し、上限センサ受光部３ｈに達した検出光は、上限センサ受光部３ｈによって検出されることとなる。一方、図１１の（ｂ）は、カード１０が収納数の上限に達している場合を示し、この場合、上限センサ発光部３ｇから出力された検出光は、カード１０によって遮断され、この検出光が上限センサ受光部３ｈに達することはない。この場合、上限センサ受光部３ｈによる検出光の検出は行われない。
【００３４】
以上のように、収納されたカード１０が収納数の上限に達していない場合、上限センサ受光部３ｈは検出光を検出し、カード１０が収納数の上限に達している場合、上限センサ受光部３ｈは検出光を検出しないこととなるため、上限センサ受光部３ｈが検出光を検出するか否かを判断することによって、収納されたカード１０が収納数の上限に達しているか否かを判断することが可能となる。
【００３５】
次に、図３を用い、上述した判断手順について説明する。
制御装置４がカードリーダライタ２に対してカード１０を収納する指示を行う場合、或いは後述する遠隔操作によってパネルキー３ｄへ解錠指示が与えられた場合、制御装置４は上限センサ発光部３ｇ及び有無センサ発光部３ｅに対し、一定期間検出光を出力させる指示を行う。この指示を受け取った上限センサ発光部３ｇ及び有無センサ発光部３ｅは検出光を発光し、有無センサ受光部３ｆ及び上限センサ受光部３ｈは、それらの検出光の検出結果を制御装置４に送る。制御装置４は、有無センサ受光部３ｆ及び上限センサ受光部３ｈから受け取った検出結果をもとに、上述した判断方法に従ってカード１０の有無及び収納状態を判断し、その判断結果に応じた各種の処理を行う。
【００３６】
次に、遠隔操作によって行われる複数の玉貸し機１の一括解錠動作について説明する。
図１２は、解錠装置２０の外観構成を示した斜視図である。解錠装置２０は、鍵穴２０ａ、解錠ランプ２０ｂ及び引抜ランプ２０ｃを有しており、この鍵穴２０ａに鍵を挿入して、パネルキー３ｄの遠隔操作を行う。図１３は、解錠装置２０に接続された複数の玉貸し機１、及びそれらの玉貸し機１に対応する遊技台３０の配置例を示した斜視図である。
【００３７】
解錠装置２０を用いて複数の玉貸し機１がそれぞれ有するパネルキー３ｄの解錠を行う場合、まず、解錠を行う店員等は、解錠装置２０の鍵穴２０ａに鍵を挿入し、挿入した鍵を押しながら解錠ランプ２０ｂの位置まで回す。これにより、解錠ランプ２０ｂが点灯し、解錠装置２０からは解錠信号が各玉貸し機１の制御装置４に送られる。解錠信号を受け取った各制御装置４は、上述した方法によって、カード１０がカード収納部３に収納されているか否か判断し、カード１０が収納されていると判断した場合、自己が制御するパネルキー３ｂの解錠を行う。ここで、カード１０が収納されていないと判断した場合には、パネルキー３ｂの解錠は行わない。このようにして各玉貸し機１のパネルキー３ｄの解錠が終了すると、次に鍵を引抜ランプ２０ｃの位置まで回し、鍵を引抜く。このようにすることにより、複数の玉貸し機１のパネルキー３ｄの解錠を連動して行うことが可能となり、解錠作業が簡易化される。
【００３８】
このように、本形態では、カードリーダライタ２によって、カード１０に記録された金額データを読み取り、制御装置４によって、カードリーダライタ２が読み取った金額データを判別し、カード１０の収納指示を行い、この収納指示を受けたカード１０をカード収納部に斜めに積み重ねて収納することとしたため、カード１０の幅よりも玉貸し機１の幅を狭くしなければならない場合であっても、使用済みのカード１０を収納でき、使用済みのカード１０の回収を行うことが可能となる。
【００３９】
なお、本形態では、有無センサ発光部３ｅ及び上限センサ発光部３ｇからの検出光の出力は、制御装置４がカードリーダライタ２に対してカード１０を収納する指示を行う場合、及び遠隔操作によってパネルキー３ｄへ解錠指示が与えられた場合に一定期間行われることとしたが、その他のタイミングで検出光の出力が行われることとしてもよい。
【００４０】
【発明の効果】
以上説明したように本発明の玉貸し機では、カード読み取り手段によって、カードに記録された金額データを読み取り、収納制御手段によって、カード読み取り手段が読み取った金額データを判別し、カードの収納指示を行い、この収納指示を受けたカードをカード収納部に斜めに積み重ねて収納することとしたため、カードの幅よりも玉貸し機の幅を狭くしなければならない場合であっても、使用済みのカードを収納でき、使用済みのカードの回収を行うことが可能となる。
【図面の簡単な説明】
【図１】本形態における玉貸し機の構成を示した断面構造図である。
【図２】本形態における玉貸し機の正面図である。
【図３】本形態における玉貸し機の電気的な構成を示した構成図である。
【図４】解錠装置と玉貸し機との電気的接続を示した構造図である。
【図５】図１のＣ−Ｃ断面図である。
【図６】カードが収納された引き出し構造部を示した斜視図である。
【図７】図１のＤ‐Ｄ断面図である。
【図８】カード取出し口がカード収納部の外部に引き出される過程を示したカード収納部の詳細斜視図である。
【図９】カード取出し口がカード収納部の外部に引き出される過程を示したカード収納部の詳細斜視図である。
【図１０】有無センサ発光部、有無センサ受光部、上限センサ発光部、及び上限センサ受光部の動作を示した図である。
【図１１】有無センサ発光部、有無センサ受光部、上限センサ発光部、及び上限センサ受光部の動作を示した図である。
【図１２】解錠装置の外観構成を示した斜視図である。
【図１３】解錠装置に接続された複数の玉貸し機、及びそれらの玉貸し機に対応する遊技台の配置例を示した斜視図である。
【符号の説明】
１  玉貸し機
２  カードリーダライタ
３  カード収納部
３ａ  前面パネル
３ｂ  ストッパー
３ｃ  引き出し構造部
３ｄ  パネルキー
３ｅ  有無センサ発光部
３ｆ  有無センサ受光部
３ｇ  上限センサ発光部
３ｈ  上限センサ受光部
４  制御装置
５  玉供給制御装置
１０  カード
２０  解錠装置
３０  遊技台
【図１】
0004556262.tif 000002
【図２】
0004556262.tif 000003
【図３】
0004556262.tif 000004
【図４】
0004556262.tif 000005
【図５】
0004556262.tif 000006
【図６】
0004556262.tif 000007
【図７】
0004556262.tif 000008
【図８】
0004556262.tif 000009
【図９】
0004556262.tif 000010
【図１０】
0004556262.tif 000011
【図１１】
0004556262.tif 000012
【図１２】
0004556262.tif 000013
【図１３】
0004556262.tif 000014